(57)【特許請求の範囲】
【請求項１】
ワイヤ（１）の一端を固定保持するワイヤ固定具（２）と、ワイヤ（１）の他端をワイヤ固定具（２）から遠ざかる側へ緊張操作するワイヤ緊張具（３）を備えているワイヤ緊張装置であって、
ワイヤ固定具（２）は、ワイヤ（１）の端部に固定したエンド金具（４）を受け止める圧縮ばね（５）およびスラストベアリング（６）と、エンド金具（４）、圧縮ばね（５）およびスラストベアリング（６）を収容する筒状のケース（７）と、ケース（７）の開口端に装着した取付金具（９）とを含み、
ワイヤ緊張具（３）は、ワイヤ（１）の遊端をクランプ固定するボールチャック（１５）と、ボールチャック（１５）を収容する主ケース（１６）と、主ケース（１６）の内面とボールチャック（１５）のケース（２２）との間に配置したベアリング（２０）と、主ケース（１６）の開口端に緊張ねじ（１７）を介してねじ込まれる取付金具（１９）とを含み、
主ケース（１６）の外周面に、主ケース（１６）を取付金具（１９）にねじ込み操作するための操作部（３２）が形成されており、
緊張ねじ（１７）のねじ込み代が圧縮ばね（５）を全圧縮できる寸法に設定してあり、
ワイヤ固定具（２）およびワイヤ緊張具（３）の各取付金具（９・１９）が、周面に雄ねじ（８ａ・１７ａ）が形成してある有底筒状のキャップ（１１）と、キャップ（１１）をブラケット（１２）に締結するボルト（１３）とからなり、キャップ（１１）の底壁にブラケット（１２）に外嵌する係合穴（１４）が設けられており、ブラケット（１２）および係合穴（１４）の断面形状が相対回動不能な非円形状に形成されているワイヤ緊張装置。
【請求項２】
ボールチャック（１５）のケース（２２）内に配置されるホルダー（２３）の端部が主ケース（１６）の一端に開口したワイヤ通口（３１）の開口縁より内側に設けられて、ホルダー（２３）がクランプ解除操作不能に設けてある請求項１記載のワイヤ緊張装置。  
【発明の詳細な説明】
【０００１】
【発明の属する技術分野】
本発明は、ワイヤを２点間にたるみなく張り渡すためのワイヤ緊張装置に関する。ワイヤ緊張装置は、例えば手すりや柵の支柱に装着されて支柱間にワイヤを張り渡し、あるいは天井と床との間や、壁面に沿ってワイヤを張り渡す場合などに使用する。
【０００２】
【従来の技術】
この種の装置は、特開平８−９３１６７号公報に公知である。そこでは、図７に示すようにワイヤ固定具４０とワイヤ緊張具４１とでワイヤ４２の両端を固定する。ワイヤ固定具４０はボールチャック４３を利用して構成してあり、ケース４４から突出するホルダー４５の操作部４６にロックナット４７をねじ込み、操作部４６およびロックナット４７の外面をケース４４にねじ込んだ防護キャップ４８で覆っている。ロックナット４７を操作部４６にねじ込んで、ホルダー４５のケース内方への退入を阻止することにより、ワイヤ４２を分離不能にクランプ固定できる。防護キャップ４８はいたずら防止のために設けてある。ワイヤ固定具４０およびワイヤ緊張具４１は、それぞれ連結金具４９を介して支柱等に連結固定する。
【０００３】
ワイヤ緊張具４１は、主ケース５０とこれにねじ込まれるねじケース５１を有し、ワイヤ４２の端部に固定したエンド金具５２を主ケース５０内に収容し、エンド金具５２とねじケース５１との間にたるみ除去用のばね５３を配置している。ばね５３の両端部にはスリップワッシャ５４を配置し、ねじケース５１を主ケース５０にねじ込む際のワイヤ４２の連れ回りを防いでいる。５５はバランスばねである。実開平７−１０５８５号公報や同４−１１１９４４号公報にも同趣旨の緊張装置が見られる。実開平３−１１８０５３号公報には、ワイヤの連れ回り防止用にスラストベアリングを用いた緊張具が開示してある。
【０００４】
【発明が解決しようとする課題】
上記のワイヤ緊張装置は、たるみ除去用のばね５３が緩衡作用を発揮できるように設定してある。そのため例えば人がワイヤ４２にもたれ掛かるような場合に、ばね５３のたわみ寸法（圧縮代）分だけワイヤ４３がたるむのを避けられない。最悪の場合にはもたれ掛かった勢いで身体のバランスを崩すおそれがあり、安全性に問題がある。いたずら等によるワイヤ４２の分離を避けるために、ロックナット４７を設け、さらにその外面を防護キャップ４８で覆っているが、防護キャップ４８およびロックナット４７を緩めてケース４４から分離すると、ホルダー４５を押し込み操作してワイヤ４２のクランプを容易に解除でき、悪質ないたずらを阻止できない。ロックナット４７および防護キャップ４８の分だけワイヤ緊張装置のコストが高く付く。
【０００５】
本発明の目的は、たるみ除去用のばねの圧縮変形に伴うワイヤのたるみを解消し、人がもたれ掛かるような場合にも、たるみを生じることなく外力に対抗できるワイヤ緊張装置を提供することにある。
本発明の目的は、ワイヤを張り渡した後に、ホルダーをクランプ解除することができず、従って、いたずらによってワイヤがワイヤ緊張具から分離されるのをよく防止できるワイヤ緊張装置を提供することにある。
【０００６】
【課題を解決するための手段】
本発明のワイヤ緊張具は、ワイヤ１の一端を固定保持するワイヤ固定具２と、ワイヤ１の他端をワイヤ固定具２から遠ざかる側へ緊張操作するワイヤ緊張具３を備えている。ワイヤ固定具２は、ワイヤ１の端部に固定したエンド金具４を受け止める圧縮ばね５およびスラストベアリング６と、エンド金具４、圧縮ばね５、およびスラストベアリング６を収容する筒状のケース７と、ケース７の開口端に装着した取付金具９とを含む。ワイヤ緊張具３は、ワイヤ１の遊端をクランプ固定するボールチャック１５と、ボールチャック１５を収容する主ケース１６と、主ケース１６の内面とボールチャック１５のケース２２との間に配置したベアリング２０と、主ケース１６の開口端に緊張ねじ１７を介してねじ込まれる取付金具１９とを含み、主ケース１６の外周面に締緩操作用の操作部３２を形成する。緊張ねじ１７のねじ込み代を圧縮ばね５を全圧縮できる寸法に設定する。
【０００７】
具体的にはボールチャック１５のケース２２内に配置されるホルダー２３の端部を主ケース１７の一端に開口したワイヤ通口３１の開口縁より内側に設けて、ホルダー２３をクランプ解除操作不能に設ける。取付金具９・１９は、周面に雄ねじ８ａ・１７ａが形成してある有底筒状のキャップ１１と、キャップ１１をブラケット１２に締結するボルト１３とで構成する。キャップ１１の底壁にブラケット１２に外嵌する係合穴１４を設ける。ブラケット１２および係合穴１４の断面形状を相対回動不能な非円形状に形成する。
【０００８】
【作用】
ワイヤ１を張り渡す場合には、各取付金具９・１９を例えば支柱３４等の取付対象に連結し、これらにワイヤ固定具２およびワイヤ緊張具３を装着して、ワイヤ１を仮張設する。次に、操作部３２に工具を当てがって、主ケース１６を緊張ねじ１７を介して取付金具１９にねじ込み、ワイヤ固定具２に設けた圧縮ばね５を全圧縮させて、ワイヤ１がたるむ余地を無くす。仮張設時には、ワイヤ固定具２に設けた圧縮ばね５が圧縮変形するので、ワイヤ１を容易に引き寄せ操作できる。緊張ねじ１７を完全に締め込んで、圧縮ばねを全圧縮した状態では、それ以上ワイヤ１を引き寄せ操作できないので、ワイヤ１に外力が作用してもたるむことはない。ワイヤ１に作用するねじり力はスラストベアリング６およびベアリング２０で逃がすことができる。
【０００９】
ボールチャック１５の全体を主ケース１６内に収容し、ホルダー２３の端部を主ケース１６のワイヤ通口３１より内側に位置させたワイヤ緊張具３によれば、主ケース１６の外面側からホルダー２３が操作されるのを阻止でき、いたずらによってワイヤ１が分離される余地を無くすことができる。いたずらの対象となる防護キャップやロックナットを省略できる分だけコストの減少にも役立つ。
ワイヤ固定具２およびワイヤ緊張具３は、それぞれ取付金具９・１９にねじ込み連結される。このとき、キャップ１１を回動不能に支持しておくために、キャップ１１の側に設けた係合穴１４とブラケット１２の断面形状を非円形状に形成する。施工時には、キャップ１１をブラケット１２に係合した後、ボルト１３をブラケット１２にねじ込んでキャップ１１の脱落を防ぐ。ブラケット１２は支柱３４等に予め溶接しておく。
【００１０】
【実施例】
図１ないし図５は本発明に係るワイヤ緊張装置の実施例を示す。図１において符号１はワイヤ、２はワイヤ１の一端を固定保持するワイヤ固定具、３はワイヤ１の他端に設けたワイヤ緊張具である。
【００１１】
ワイヤ固定具２は、ワイヤ１の端部にかしめ固定したエンド金具４を受け止める圧縮ばね５およびスラストベアリング６と、これら三者４・５・６を収容する有底筒状のケース７と、ケース７の開口端にねじ８を介して装着した取付金具９とからなる。ケース７、取付金具９、およびエンド金具４はそれぞれステンレス鋼材で形成する。エンド金具４は、ワイヤ１に外嵌する軸部４ａと、軸部４ａの一端に設けたフランジ部４ｂとからなり、フランジ部４ｂで圧縮ばね５の一端を受け止める。軸部４ａの長さは、圧縮ばね５の全圧縮寸法と同じか、これより僅かに小さく設定する。圧縮ばね５の他端はケース７の内奥端に装填したスラストベアリング６で受け止める。ケース７の外周面には平行な一対以上の操作部７ａを設け、筒端にはワイヤ通口７ｂを設ける。この実施例における操作部７ａは、後述するワイヤ緊張具３の主ケース１６と同様に八角形状に形成した。
【００１２】
取付金具９は、周面に雄ねじ８ａが形成してある有底筒状のキャップ１１と、キャップ１１をブラケット１２に締結するボルト１３とからなる。ブラケット１２は四角形、六角形、八角形等の角軸で形成してあり、その一端を取付対象に予め溶接しておく。キャップ１１の底壁にはブラケット１２に外嵌できる同じ断面形状の係合穴１４を通設する。キャップ１１をブラケット１２に外嵌した後、ボルト１３をキャップ１１の開口面の側からブラケット１２に設けたねじ穴にねじ込むことにより、キャップ１１を脱落不能に受け止めることができる。ボルト１３は六角穴付きボルトからなり、頭部の直径寸法を係合穴１４の対辺長よりも大きく設定する。
【００１３】
ワイヤ緊張具３は、ワイヤ１の遊端をクランプ固定するボールチャック１５と、ボールチャック１５の全体を収容する有底筒状の主ケース１６と、主ケース１６の開口端に緊張ねじ１７を介してねじ込んだ取付金具１９およびベアリング２０とからなる。
【００１４】
ボールチャック１５は、内面にテーパー面２１を有するケース２２と、ケース２２内に組み込んだコーン形状のホルダー２３と、ホルダー２３で支持される大小２組のボール２４・２５と、ホルダー２３をクランプ付勢する圧縮コイル形のばね２６などで構成し、従来のボールチャックに比べて以下の点が異なる。ホルダー２３をばね２６の付勢力に抗してクランプ解除操作するための操作部を省略し、ホルダー２３の端部をケース２２の内部に位置させている。主ケース１６の外面からホルダー２３を操作できないようにし、いたずらの余地を無くすためである。ケース２２の軸方向の長さを短縮して、ホルダー２３の側端およびばね２６のそれぞれをケース２２外に露出している。ケース２２の肩部に段落ち状の受座２７を形成し、主ケース１６の内奥端に配置したベアリング２０を受座２７で受け止めている。大小のボール２４・２５はそれぞれ３個を一組にして設けてあり、ワイヤ１を強固にクランプ固定できる。
【００１５】
主ケース１６にベアリング２０およびケース２２を装填した後、止め輪２９をケース内面に嵌め込んでケース２２を抜け止めする。さらに、ホルダー２３とばね２６を組み、主ケース１６の内面に嵌め込んだ止め輪３０でばね２６の大径端を受け止めて、ボールチャック１５を主ケース１６と一体化する。この実施例ではベアリング２０を複数個の鋼球で構成したが、ワイヤ固定具２のスラストベアリング６と同様のユニット部品化されたベアリングやスリップワッシャ等を用いることができる。主ケース１６の内奥端の中央にはワイヤ通口３１を通設し、ケース外周面に締結操作用の操作部３２を設ける。操作部３２はケース外周面に設けた平行な４対の平端面からなる（図４参照）。ケース内面の開口端寄りには、緊張ねじ１７を構成する雌ねじ１７ｂを形成する（図３参照）。
【００１６】
取付金具１９は先に説明した取付金具９と同じ部品であって、その周面に上記の雌ねじ１７ｂに対応する雄ねじ１７ａを形成する。他は取付金具９と同じであるので同一部材に同じ符号を付して説明を省略する。なお、主ケース１６、ケース２２、ホルダー２３および連結金具９・１９はそれぞれステンレス鋼材で形成してある。緊張ねじ１７のねじ込み代Ｓは、圧縮ばね５の圧縮代Ｔと同じか、これより大きく設定する。
【００１７】
次にワイヤ緊張装置を用いて、図５に示すように隣接する支柱３４・３４の間にワイヤ１を張り渡す場合の作業手順を説明する。ブラケット１２は各支柱３４に予め溶接しておく。まず、取付金具９・１９をそれぞれの開口面が対向する状態でブラケット１２に組み、ボルト１３を完全に締め込む。次に、図３に示すように主ケース１６のねじ山の数条をキャップ１１のねじ溝にかみ合わせ、主ケース１６のワイヤ通口３１からワイヤ１をホルダー２３内に差し込んで、ワイヤ１の遊端をボールチャック１５でクランプ固定する。同様にワイヤ固定具２のケース７を取付金具９にねじ込み、図２に示すようにキャップ１１がケース７内に入り込んでしまうまでケース７をねじ込む。このときは、圧縮ばね５が圧縮変形するので、ワイヤ固定金具２を容易にねじ込み操作できる。
【００１８】
上記のようにワイヤ１を仮張設した後、主ケース１６の操作部３２にスパナ等の工具を当てがって、主ケース１６を取付金具１９にねじ込み、ワイヤ１を徐々に緊張させる。最終的には、圧縮ばね５が全圧縮するまで主ケース１６をねじ込み操作して、ワイヤ１にたるみが生じる余地を無くす。なお、圧縮ばね５の全圧縮状態は、主ケース１６のねじ込み力が急激に増加することで知ることができる。もちろん、上記とは異なる手順でワイヤ１を張り渡してもよい。先に述べた圧縮ばね５の圧縮代とは、ワイヤ１を仮張設したのち圧縮ばね５が全圧縮するまでのたわみ量、あるいはエンド金具４の軸部４ａがスラストベアリング６に接当するまでの圧縮ばね５のたわみ量のいずれかを意味する。
【００１９】
ワイヤ固定具２およびワイヤ緊張具３のそれぞれがスラストベアリング６およびベアリング２０を内蔵していて、ケース７および主ケース１６のねじ込み操作の影響を遮断できるので、ワイヤ２が各ケース７・１６のねじ込み操作によってねじり変形するのを完全に防止できる。ワイヤ１を張り渡した状態では、ホルダー２３が主ケース１６で覆い隠されて操作できないので、いたずらの余地を皆無にできる。ボルト１３がキャップ１１内に収容されることも、いたずらを排除することに役立っている。
【００２０】
図６（ａ）・（ｂ）に主ケース１６およびブラケット１２の変形例を示す。主ケース１６は丸筒状に形成し、その外周面の周囲複数個所に浅い穴を形成して、これをねじ込み用の操作部３２とした。符号３５は主ケース１６用の締結工具を示しており、先端の掛止爪３６を操作部３２に引っ掛けて主ケース１６を取付金具１９にねじ込み操作する。このように、丸筒状に形成し専用の締結工具３５でのみねじ込み可能とした主ケース１６は、いたずらを受けにくい。ワイヤ固定具２のケース７も同様に丸筒状に形成し、操作部７ａを複数個の穴で形成できる。
【００２１】
図６（ｂ）に示すブラケット１２は、丸軸で形成した。そのうえで一方の軸端に、平行な平坦面３７を形成し、これをキャップ１１の係合穴１４に係合して、キャップ１１を回動不能に係合保持できるようにした。平坦面３７はブラケット１２の周面の少なくとも１個所に形成してあればよい。
【００２２】
上記以外にスラストベアリング６は、エンド金具４のフランジ一部４ｂと圧縮ばね５との間に配置できる。ワイヤ緊張具は、床と天井との間や壁面に沿ってワイヤを固定する場合にも適用できる。ワイヤ１に作用する張力が小さい場合には、大小いずれか一方のボール２４・２５を省略できる。ホルダー２３はクランプ解除用の操作部を備えていてもよいが、この場合は操作部の端が主ケース１６のワイヤ通口３１の開口縁より内側に位置するよう、主ケース１６を長めに形成する。
【００２３】
【発明の効果】
本発明では、ワイヤ固定具２およびワイヤ緊張具３を取付金具９・１９にそれぞれ仮り組みした後、主ケース１６をねじ込み操作することにより圧縮ばね５を全圧縮させ、たるみを生じる余地のない状態でワイヤ１を張り渡すようにした。従って、例えば人がもたれ掛かるような場合にも、ワイヤ１を高度に緊張した状態に維持してたるみを防止でき、とくに手すりや柵等における安全性を向上できる。ワイヤ固定具２とワイヤ緊張具２のそれぞれに、ねじ込み操作の影響を避けるスラストベアリング６およびベアリング２０を設けるので、ねじ込み操作に伴うワイヤ１のねじれを完全に防止でき、ワイヤ１の縒りが解けたり、過剰にねじられて強度が低下するのを解消できる。
【００２４】
ホルダー２３を主ケース１６の外面からは触れないように主ケース１６内に配置するので、ワイヤ１を張り渡した後は、ホルダー２３のクランプ解除操作を行えず、従って、いたずらによってワイヤ１がワイヤ緊張具３から分離されるのを解消できる。
【図面の簡単な説明】
【図１】ワイヤ緊張装置の縦断面図である。
【図２】ワイヤ固定具の縦断面図である。
【図３】ワイヤ緊張具の使用状態を示す一部破断正面図である。
【図４】ワイヤ緊張具の縦断側面図である。
【図５】ワイヤ緊張装置の使用態様例を示す正面図である。
【図６】図６（ａ）は主ケースの変形例を示す斜視図であり、図６（ｂ）はブラケットの変形例を示す斜視図である。
【図７】従来のワイヤ緊張具の縦断面図である。
【符号の説明】
１  ワイヤ
２  ワイヤ固定具
３  ワイヤ緊張具
４  エンド金具
５  圧縮ばね
６  スラストベアリング
７  ケース
９  取付金具
１５  ボールチャック
１６  主ケース
１７  緊張ねじ
１９  取付金具
２０  ベアリング
２２  ケース
２３  ホルダー
３１  ワイヤ通口
３２  操作部
【図１】
0003809970.tif 000002
【図２】
0003809970.tif 000003
【図３】
0003809970.tif 000004
【図４】
0003809970.tif 000005
【図５】
0003809970.tif 000006
【図６】
0003809970.tif 000007
【図７】
0003809970.tif 000008